(57)【要約】【課題】洗浄水がリム導水路内の上部に溜まっている空気とともにリム吐水口から吐水される際、異音を発生することを抑制することができ、静音性を向上させることができる水洗大便器を提供する。【解決手段】本発明の水洗大便器は、ボウル形状の汚物受け面１４と、汚物受け面の上縁に形成されたリム部１８と、を備えたボウル部２０と、リム部からボウル部内に洗浄水を吐水するリム吐水口２６と、リム部内においてボウル部の後方側領域からリム吐水口まで延びるリム導水路２４と、リム導水路２４内に供給される洗浄水を乱す撹拌手段４４と、を備える。【選択図】図１２
2019049118.tif 000002
【特許請求の範囲】
【請求項１】
洗浄水源から供給される洗浄水によって洗浄されて汚物を排出する水洗大便器であって、
ボウル形状の汚物受け面と、上記汚物受け面の上縁に形成されたリム部と、を備えたボウル部と、
上記リム部から上記ボウル部内に洗浄水を吐水するリム吐水口と、
上記リム部内において上記ボウル部の後方側領域から上記リム吐水口まで延びるリム導水路と、
上記リム導水路内に供給される洗浄水を乱す撹拌手段と、を備えることを特徴とする水洗大便器。
【請求項２】
上記撹拌手段は、洗浄水の流れ方向を軸とした回転力を洗浄水の流れに加える回転手段である、請求項１に記載の水洗大便器。
【請求項３】
上記撹拌手段は、上記リム導水路の入口部に設けられる、請求項１又は２に記載の水洗大便器。
【請求項４】
上記リム導水路は、上記リム吐水口の開口高さよりも高い高さの導水路を有する、請求項１乃至３の何れか１項に記載の水洗大便器。
【請求項５】
上記リム吐水口は、上記ボウル部の前方側領域における上記リム部に形成される、請求項１乃至４の何れか１項に記載の水洗大便器。
【請求項６】
さらに、上記リム導水路内に洗浄水を供給するノズルを備え、
上記撹拌手段は上記ノズルの先端部において上記ノズルの通水路に突出するリブである、請求項１乃至５の何れか１項に記載の水洗大便器。
【請求項７】
上記リム導水路は、
上記リム部の内部を前方に向けて延びる外側部と、
上記外側部の下流端から内側に屈曲する屈曲部と、
上記屈曲部から後方に向けて延びる内側部とを備え、
上記リム吐水口は、上記内側部の下流端に形成され、後方に向けて洗浄水を吐水する、請求項１乃至６の何れか１項に記載の水洗大便器。
【請求項８】
上記リム導水路は、上流部において下半部の断面積が上半部の断面積よりも小さくなるように形成される、請求項１乃至７の何れか１項に記載の水洗大便器。
【請求項９】
上記リム導水路は、上記リム導水路内に供給される洗浄水を上方に導くガイド部を有する、請求項１乃至８の何れか１項に記載の水洗大便器。
【請求項１０】
上記リム導水路は、上下方向における断面形状が縦向きの長孔と横向きの長孔とを組み合わせた形状に形成される、請求項１乃至９の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、特許文献１に記載されているように、水洗大便器において、リム吐水口からの吐水時に、リム導水路内の空気が洗浄水とともにリム吐水口から出ることにより、空気の炸裂音や空気の混じり音などの異音が発生することが知られている。
【先行技術文献】
【特許文献】
【０００３】
【特許文献１】特開２００８−３０３６１６号公報
【発明の概要】
【発明が解決しようとする課題】
【０００４】
上述した特許文献１に記載されている従来の水洗大便器において、リム吐水口を使用者から見えにくくし、水洗大便器の意匠性を向上させるため、また、汚物受け面の洗浄性を向上させるために、汚物受け面の半分よりも前側の前方側領域のリム部にリム吐水口を配置することが検討されている。
しかしながら、汚物受け面の前方側領域にリム吐水口を配置すると、リム導水路が後方側領域から前方側領域まで形成されることから、リム導水路が長くなる。よって、リム導水路内の空気量が増大して、洗浄水の吐水時に洗浄水が空気とともに排出され、空気による異音が発生しやすくなるという問題が生じる。
【０００５】
そこで、本発明は、上述した従来技術の問題を解決するためになされたものであり、洗浄水がリム導水路内の上部に溜まっている空気とともにリム吐水口から吐水される際、異音を発生することを抑制することができ、静音性を向上させることができる水洗大便器を提供することを目的としている。
【課題を解決するための手段】
【０００６】
上述した目的を達成するために、本発明は、洗浄水源から供給される洗浄水によって洗浄されて汚物を排出する水洗大便器であって、ボウル形状の汚物受け面と、上記汚物受け面の上縁に形成されたリム部と、を備えたボウル部と、上記リム部から上記ボウル部内に洗浄水を吐水するリム吐水口と、上記リム部内において上記ボウル部の後方側領域から上記リム吐水口まで延びるリム導水路と、上記リム導水路内に供給される洗浄水を乱す撹拌手段と、を備えることを特徴としている。
このように構成された本発明においては、撹拌手段によりリム導水路内に供給される洗浄水が乱され、リム導水路内の上部に溜まっている空気を乱れた洗浄水により撹拌することができる。これにより、リム導水路内の空気が微細化され、洗浄水とともにリム吐水口から吐水される。よって、本発明によれば、洗浄水がリム導水路内の上部に溜まっている空気とともにリム吐水口から吐水される際、異音を発生することを抑制することができ、静音性を向上させることができる。
【０００７】
本発明において、好ましくは、上記撹拌手段は、洗浄水の流れ方向を軸とした回転力を洗浄水の流れに加える回転手段である。
このように構成された本発明においては、回転手段によりリム導水路内に供給される洗浄水の流れ方向を軸とした回転力を洗浄水の流れに加える。よって、洗浄水の流れが乱され、リム導水路内の上部に溜まっている空気を乱れた洗浄水により撹拌することができる。
【０００８】
本発明において、好ましくは、上記撹拌手段は、上記リム導水路の入口部に設けられる。
このように構成された本発明においては、撹拌手段は、リム導水路の入口部に設けられるので、リム導水路内に供給される洗浄水がリム導水路の入口部から乱され、リム導水路内の上部に溜まっている空気を乱れた洗浄水により効率よく撹拌することができる。
【０００９】
本発明において、好ましくは、上記リム導水路は、上記リム吐水口の開口高さよりも高い高さの導水路を有する。
このように構成された本発明においては、リム吐水口の開口高さよりも高い高さの導水路を有するような、リム導水路内の上部に溜まっている空気による異音が生じやすいリム導水路において、撹拌手段によりリム導水路内に供給される洗浄水が乱される。これにより、リム導水路内の上部に溜まっている空気を乱れた洗浄水により撹拌することができる。
【００１０】
本発明において、好ましくは、上記リム吐水口は、上記ボウル部の前方側領域における上記リム部に形成される。
このように構成された本発明においては、ボウル部の後方側領域から前方側領域に形成されたリム吐水口まで延びるような、リム導水路内の上部に溜まっている空気による異音が生じやすいリム導水路において、撹拌手段によりリム導水路内に供給される洗浄水が乱される。これにより、リム導水路内の上部に溜まっている空気を乱れた洗浄水により撹拌することができる。
【００１１】
本発明において、好ましくは、さらに、上記リム導水路内に洗浄水を供給するノズルを備え、上記撹拌手段は上記ノズルの先端部において上記ノズルの通水路に突出するリブである。
このように構成された本発明においては、ノズルの先端部においてノズルの通水路に突出するリブによりリム導水路内に供給される洗浄水が乱され、リム導水路内の上部に溜まっている空気を乱れた洗浄水により撹拌することができる。
【００１２】
本発明において、好ましくは、上記リム導水路は、上記リム部の内部を前方に向けて延びる外側部と、上記外側部の下流端から内側に屈曲する屈曲部と、上記屈曲部から後方に向けて延びる内側部とを備え、上記リム吐水口は、上記内側部の下流端に形成され、後方に向けて洗浄水を吐水する。
このように構成された本発明においては、リム導水路は、リム部の内部において前方に向けて延びる外側部から屈曲部を介して後方に向けて延びる内側部を備え、後方に向けて洗浄水を吐水するリム吐水口まで延びる。よって、本発明によれば、リム導水路がボウル部の前端のリム部内を経由して延びる場合に比べてリム導水路の容積を小さくすることができる。このため、本発明によれば、リム導水路内の上部に溜まる空気の量を減らすことができ、空気による異音をさらに抑制することができる。
【００１３】
本発明において、好ましくは、上記リム導水路は、上流部において下半部の断面積が上半部の断面積よりも小さくなるように形成される。
このように構成された本発明においては、リム導水路内に供給される洗浄水がリム導水路内における上部に流れ込みやすくなり、リム導水路内の上部に溜まっている空気を乱れた洗浄水によりより撹拌しやすくすることができる。これにより、リム導水路内の空気が微細化され、洗浄水とともにリム吐水口から吐水される。よって、本発明によれば、洗浄水がリム導水路内の上部に溜まっている空気とともにリム吐水口から吐水される際、異音が発生することをより抑制することができ、静音性をより向上させることができる。
【００１４】
本発明において、好ましくは、上記リム導水路は、上記リム導水路内に供給される洗浄水を上方に導くガイド部を有する。
このように構成された本発明においては、ガイド部によりリム導水路内に供給される洗浄水をリム導水路内における上部に流れ込みやすくすることができ、リム導水路内の上部に溜まっている空気を乱れた洗浄水によりより撹拌しやすくすることができる。よって、本発明によれば、洗浄水がリム導水路内の上部に溜まっている空気とともにリム吐水口から吐水される際、異音が発生することをより抑制することができ、静音性をより向上させることができる。
【００１５】
本発明において、好ましくは、上記リム導水路は、上下方向における断面形状が縦向きの長孔と横向きの長孔とを組み合わせた形状に形成される。
このように構成された本発明においては、縦向きの長孔がリム導水路の上半部に延びるため、リム導水路の下半部の断面積が上半部の断面積よりも小さくなるようなリム導水路を容易に形成することができる。よって、本発明によれば、リム導水路内に供給される洗浄水をリム導水路内における上部に流れ込みやすくすることができ、リム導水路内の上部に溜まっている空気を乱れた洗浄水によりより撹拌しやすくすることができる。
【発明の効果】
【００１６】
本発明の水洗大便器によれば、洗浄水がリム導水路内の上部に溜まっている空気とともにリム吐水口から吐水される際、異音を発生することを抑制することができ、静音性を向上させることができる。
【図面の簡単な説明】
【００１７】
【図１】本発明の一実施形態による水洗大便器において、便蓋及び便座を上方位置まで回動させた状態を示す斜視図である。
【図２】本発明の一実施形態による水洗大便器において、便蓋及び便座を下方位置まで回動させた状態で、水洗大便器の左右方向の中央断面を左側から見た断面図である。
【図３】図１に示す本発明の一実施形態による水洗大便器の便器本体部分を示す部分平面図である。
【図４】図３に示す本発明の一実施形態による水洗大便器の便器本体部分において、リム部の内部に形成されるリム導水路の部分を拡大した部分拡大平面図である。
【図５】図２に示す本発明の一実施形態による水洗大便器の断面視において、リム部の内部に形成されるリム導水路の部分を拡大して示す部分拡大側面図である。
【図６】図４のＶＩ−ＶＩ線に沿った断面図である。
【図７】図４のＶＩＩ−ＶＩＩ線に沿った断面図である。
【図８】図４のＶＩＩＩ−ＶＩＩＩ線に沿った断面図である。
【図９】図４のＩＸ−ＩＸ線に沿った断面図である。
【図１０】図４のＸ−Ｘ線に沿った断面図である。
【図１１】本発明の一実施形態による水洗大便器のリム導水路の入口部及びガイド部近傍の内部構造を示す平面図である。
【図１２】本発明の一実施形態による水洗大便器のリム導水路の入口部及びガイド部近傍の内部構造を示す側面図である。
【図１３】本発明の一実施形態による水洗大便器のリム導水路の入口部及びガイド部近傍の内部構造を示す斜視図である。
【図１４】本発明の一実施形態による水洗大便器のリムノズルの中央断面図である。
【図１５】本発明の一実施形態による水洗大便器のリムノズルの概略斜視図である。
【図１６】本発明の一実施形態による水洗大便器のリムノズルを先端部側から見た正面図である。
【図１７】本発明の一実施形態による水洗大便器のリムノズルの第１変形例を示す斜視図である。
【図１８】本発明の一実施形態による水洗大便器のリムノズルの第２変形例を示す斜視図である。
【発明を実施するための形態】
【００１８】
つぎに、図１〜図３を参照して、本発明の一実施形態による水洗大便器について説明する。
図１は本発明の一実施形態による水洗大便器において、便蓋及び便座を上方位置まで回動させた状態を示す斜視図であり、図２は本発明の一実施形態による水洗大便器において、便蓋及び便座を下方位置まで回動させた状態で、水洗大便器の左右方向の中央断面を左側から見た断面図であり、図３は図１に示す本発明の一実施形態による水洗大便器の便器本体部分を示す部分平面図である。
以下、本発明の一実施形態における説明において、水洗大便器１を使用する使用者側（水洗大便器１を使用するために水洗大便器１の前に立っている使用者側）から見て手前側を前方側とし、使用者から見て奥側を後方側とし、水洗大便器１を前方から見て右側を右側とし、前方から見て左側を左側として説明している。
【００１９】
図１〜図３に示すように、本発明の一実施形態による水洗大便器１は、陶器製の便器本体２と、この便器本体２の上面に上下方向に回動可能に配置された便座４と、この便座４を覆うように上下方向に回動可能に配置された便蓋６と、便器本体２の後方に配置された機能部８とを備えている。
また、図２に示すように、機能部８は、使用者の局部を洗浄する衛生洗浄部として機能する衛生洗浄系機能部１０と、便器本体２への給水機能に関与する給水系機能部１２とを備えている。
【００２０】
便器本体２は、ボウル形状の汚物受け面１４と、この汚物受け面１４の上縁において棚面１６から立ち上がるように形成されたリム部１８とを備えたボウル部２０を備えている。また、便器本体２は、ボウル部２０の下方に入口部２２ａが接続されて、ボウル部２０内の汚物を排出する排水路である排水トラップ管路２２を備えている。
【００２１】
ボウル部２０の底部には、排水トラップ管路２２の入口部２２ａに差し向けられるようにゼット吐水部３２が形成されている。このゼット吐水部３２による吐水（ジェット吐水）に関しては、給水系機能部１２に設けられている貯水タンク３４に貯水された洗浄水が、給水系機能部１２の加圧ポンプ３６によって加圧されて、ゼット吐水部３２から吐出されるようになっている。
【００２２】
ここで、衛生洗浄系機能部１０及び給水系機能部１２のそれぞれの具体的な構造については、従来のものと同様であるため、詳細な説明については省略する。なお、給水系機能部１２には、電磁弁の開閉操作、切替弁の切替操作、及び、加圧ポンプの回転数や作動時間等を制御するコントローラ１３等が設けられている。
【００２３】
本実施形態による水洗大便器１は、ハイブリッド式の水洗大便器であり、リム吐水口２６によるリム吐水について水道の給水圧力を利用して行い、ゼット吐水部３２によるジェット吐水について加圧ポンプ３６を制御することにより貯水タンク３４内の洗浄水を供給するようになっている。水洗大便器は、水道からの洗浄水を、バルブを切り替えることによってリム吐水口２６によるリム吐水とゼット吐水部３２によるジェット吐水とに切り替えてもよい。また、水洗大便器は、貯水タンクから供給される洗浄水を、リム吐水口２６によるリム吐水とゼット吐水部３２によるジェット吐水とに切り替えてもよい。
【００２４】
つぎに、図３〜図１０を参照して、本発明の一実施形態による水洗大便器１のリム導水路２４及びリム吐水口２６の詳細について説明する。
図４は図３に示す本発明の一実施形態による水洗大便器の便器本体部分において、リム部の内部に形成されるリム導水路の部分を拡大した部分拡大平面図であり、図５は図２に示す本発明の一実施形態による水洗大便器の断面視において、リム部の内部に形成されるリム導水路の部分を拡大して示す部分拡大側面図である。
【００２５】
図３及び図４に示すように、便器本体２は、リム部１８からボウル部２０内に洗浄水を吐水するリム吐水口２６と、リム部１８内においてボウル部２０の後側領域からリム吐水口２６まで延びるリム導水路２４とを備えている。
【００２６】
リム導水路２４の上流端の入口部２４ａには、導水管２８が取付けられる。導水管２８は、洗浄水源である水道（図示せず）から供給される洗浄水をリム導水路２４内に供給する。この導水管２８は、洗浄水源である水道（図示せず）に直結されている。水道の給水圧力を利用して、導水管２８からリム導水路２４内に供給された洗浄水は、リム導水路２４内で前方へ導かれ、その後、リム部１８内においてＵターンして後方側に導かれ、リム吐水口２６まで導かれる。
【００２７】
図３に示すように、ボウル部２０は、ボウル部２０を前後方向に二等分する左右方向に延びる中心線Ｃ１に対して前方側である前方側領域Ｆ１と後方側である後方側領域Ｒ１を備えている。リム導水路２４は、このボウル部２０の左右の一方の側のリム部１８内において後方側領域Ｒ１から前方側領域Ｆ１まで延びている。
【００２８】
リム吐水口２６は、ボウル部２０の前方側領域Ｆ１におけるリム部１８の内周面に形成される。リム吐水口２６は、後方に向けて洗浄水を吐水する。リム吐水口２６から吐水された洗浄水がボウル部２０内を旋回することにより、ボウル部２０内に旋回流が形成されるようになっている。リム吐水口２６はリム部１８の全周において単一の吐水口を形成する。よって、リム導水路２４の出口は、単一のリム吐水口２６のみにより形成される。リム導水路２４には、リム吐水口２６からの吐水の時にリム導水路２４内に溜まる空気を抜く通気口が形成されていない。なお、リム吐水口２６がボウル部２０の前方側領域Ｆ１内に形成され、リム導水路２４が後方側領域Ｒ１から前方側領域Ｆ１まで延び、リム導水路２４の全長が長くなるので、リム導水路２４内に溜まる空気の量が、リム導水路２４が短い場合よりも増大している。一方、リム導水路２４は、後方側領域Ｒ１からボウル部２０の前端までは延びていないので、リム導水路２４がボウル部２０の前端のリム部１８内を経由して延びる場合に比べてリム導水路２４の容積を小さくすることができる。
【００２９】
なお、本実施形態の水洗大便器１においては、リム導水路２４及びリム吐水口２６について、ボウル部２０の右側のリム部１８の内部に配置した形態について説明するが、このような形態に限定されず、リム吐水口２６をボウル部２０の前方側領域Ｆ１内の左側のリム部１８に配置して後方に向けてリム吐水を行うようにしてもよい。要するに、リム導水路２４及びリム吐水口２６ついては、ボウル部２０の前方側領域Ｆ１内の左右の何れか一方の側のリム部１８に配置してリム吐水を行うような形態であればよい。
また、本実施形態の水洗大便器１においては、リム導水路２４及びリム吐水口２６は、陶器を加工することで便器本体２に一体に形成されているが、例えば、樹脂等で便器本体２とは別体として形成し、便器本体２に取り付ける構成としてもよい。
【００３０】
次に、図４に示すように、リム導水路２４は、導水管２８に連結される入口部２４ａと、この入口部２４ａからリム部１８の内部を前方に向けて延びる外側部２４ｂと、この外側部２４ｂの下流端から内側に屈曲する屈曲部２４ｃと、この屈曲部２４ｃから後方に向けてリム吐水口２６まで延びる内側部２４ｄとを備えている。リム導水路２４は、前方側領域Ｆ１の右側のリム部１８内において、外側部２４ｂ、屈曲部２４ｃ及び内側部２４ｄによりＵターンする流路を形成する。リム吐水口２６は、内側部２４ｄの下流端に形成される。
【００３１】
図６〜図１３において、リム導水路２４の導水路の形状について説明する。
図６は図４のＶＩ−ＶＩ線に沿った断面図であり、図７は図４のＶＩＩ−ＶＩＩ線に沿った断面図であり、図８は図４のＶＩＩＩ−ＶＩＩＩ線に沿った断面図であり、図９は図４のＩＸ−ＩＸ線に沿った断面図であり、図１０は図４のＸ−Ｘ線に沿った断面図であり、図１１は本発明の一実施形態による水洗大便器のリム導水路の入口部及びガイド部近傍の内部構造を示す平面図であり、図１２は本発明の一実施形態による水洗大便器のリム導水路の入口部及びガイド部近傍の内部構造を示す側面図であり、図１３は本発明の一実施形態による水洗大便器のリム導水路の入口部及びガイド部近傍の内部構造を示す斜視図である。
【００３２】
図６〜図１０に示すように、リム導水路２４は、内部導水路の外側の外側壁部５０の壁面５０ａ、その下方側の下側壁部５１の壁面５１ａ、その内側の内側壁部５２の壁面５２ａ、その上方側の上側壁部５３の壁面５３ａによって導水路を形成する。
【００３３】
図６に示すように、リム導水路２４は、入口部２４ａ付近において、ボウル部の内側に向かうにつれて下り傾斜する外側壁部５０の壁面５０ａと、壁面５０ａよりも内側に向かうにつれて緩やかに下り傾斜する下側壁部５１の壁面５１ａと、上下方向に延びる内側壁部５２の壁面５２ａと、左右方向に延びる上側壁部５３の壁面５３ａとによって形成される断面形状を有する。
【００３４】
図７に示すように、リム導水路２４には、リム部１８の上下方向の中心線Ｃ２よりも上部において、外側壁部５０の壁面５０ａの上端部と、内側壁部５２の壁面５２ａの上端部と、上側壁部５３の壁面５３ａとにより、横向き、すなわち、左右方向に長い長孔Ｌ１が形成される。このような長孔Ｌ１は段部６０上に形成される。
【００３５】
また、リム導水路２４には、横向きの長孔Ｌ１から連続するように、横向きの長孔Ｌ１の下方において、外側壁部５０の壁面５０ａと、下側壁部５１の壁面５１ａと、内側壁部５２の壁面５２ａとにより、縦向き、すなわち、上下方向に長い長孔Ｌ２が形成される。
【００３６】
リム導水路２４は、上下方向における断面形状が横向きの長孔Ｌ１と縦向きの長孔Ｌ２とを組み合わせた逆Ｌ字形状の断面形状に形成される。このため、リム導水路２４は、リム部１８の中心線Ｃ２よりも上側が鉤状の断面形状に形成され、中心線Ｃ２よりも下側が直線状の断面形状に形成される。図６〜図８において示されるように、リム導水路２４は、リム導水路２４の後方側領域Ｒ１側の上流部２４ｅ（図４参照）において、断面視でリム部１８の上下方向における下半部の断面積Ａ１が上半部の断面積Ａ２よりも小さい。上流部２４ｅは、リム導水路２４の後方側領域Ｒ１側の部分であり、リム導水路２４の入口部２４ａから中心線Ｃ１近傍までの部分である。
【００３７】
なお、本実施形態では、縦向きの長孔と横向きの長孔とを逆Ｌ字形状となるように組み合わせた断面形状としているが、これに限定されず、逆三角形状などのように様々な断面形状としてもよい。また、縦向きの長孔と横向きの長孔とを組み合わせる場合においても、たとえば、Ｔ字形状や、横向きの長孔が上下方向の中心よりも上側にあるような十字形状などの様々な断面形状としてもよい。このように、リム導水路２４は、上下方向における下半部の断面積が上半部の断面積よりも小さい任意の形状とすることができる。
【００３８】
図８に示すように、リム導水路２４には、リム部１８の上下方向の中心線Ｃ２よりも上部において、外側壁部５０の壁面５０ａの上端部と、内側壁部５２の壁面５２ａの上端部と、上側壁部５３の壁面５３ａとにより、横向き、すなわち、左右方向に長い長孔Ｌ３が形成される。
【００３９】
リム導水路２４は、前後方向の中央付近の中心線Ｃ１近傍においても、横向きの長孔Ｌ３と縦向きの長孔Ｌ４とが組み合わされた逆Ｌ字形状の断面形状に形成される。このため、リム導水路２４は、中心線Ｃ２よりも上側が鉤状の断面形状に形成され、中心線Ｃ２よりも下側が直線状の断面形状に形成される。リム導水路２４は、中心線Ｃ１近傍においても、断面視でリム部１８の上下方向における下半部の断面積Ａ１が上半部の断面積Ａ２よりも小さい。
【００４０】
図９に示すように、リム導水路２４は、前方側領域Ｆ１における外側部２４ｂの中間部と下流端との間において、長辺となる外側壁部５０の壁面５０ａと、短辺の底面となる下側壁部５１の壁面５１ａと、壁面５０ａと対向する長辺となる内側壁部５２の壁面５２ａと、壁面５１ａと対向する短辺の天井面となる上側壁部５３の壁面５３ａとにより、縦向きの長孔状の断面形状を形成する。
【００４１】
図１０に示すように、リム導水路２４は、前方側領域Ｆ１における外側部２４ｂの下流端近傍において、長辺となる外側壁部５０の壁面５０ａと、短辺の底面となる下側壁部５１の壁面５１ａと、壁面５０ａと対向する長辺となる内側壁部５２の壁面５２ａと、壁面５１ａと対向する短辺の天井面となる上側壁部５３の壁面５３ａとにより、縦向きの長孔状の断面形状に形成される。
【００４２】
すなわち、リム導水路２４は、入口部２４ａの直近の下流側において洗浄水が流れ込む上部空間が形成され、下流側になるにつれて上部空間の左右幅が狭くなるように、徐々に縮小して形成される。
【００４３】
また、図１０に示すように、リム導水路２４は、前方側領域Ｆ１における内側部２４ｄの上流端近傍において、縦壁を形成する内側壁部５２の壁面５２ｂと、下方側の底面となる下側壁部５１の壁面５１ｂと、壁面５２ｂと対向する縦壁となるリム内周壁部５４の壁面５４ａと、壁面５１ｂと対向する天井面となる上側壁部５５の壁面５５ａとにより、縦向きの短孔状の断面形状に形成される。
【００４４】
次に、図５に示すように、リム導水路２４の入口部２４ａから外側部２４ｂまでの内部導水路の壁面５３ａの高さは比較的高い高さである。外側部２４ｂまでの内部導水路の壁面５３ａの高さはリム吐水口２６の上端２６ａの高さよりも高い。屈曲部２４ｃにおいて、内部導水路の高さが、外側部２４ｂの壁面５３ａの高さから内側部２４ｄの壁面５５ａの高さまで低減される。内側部２４ｄからリム吐水口２６までの内部導水路の高さは比較的低い高さでほぼ一定である。このように、リム導水路２４は、リム吐水口２６の開口高さよりも高い高さの導水路を有する。すなわち、リム導水路２４の導水路の壁面５１ａから壁面５３ａまでの高さは、リム吐水口２６の壁面５１ｂから壁面５５ａまでの高さよりも高い。リム吐水口２６は、リム吐水口２６の上端２６ａがリム部１８の中心線Ｃ２よりも下側の下半部に位置するように形成される。リム吐水口２６は、リム導水路２４に対して小径に形成されている。
【００４５】
図１１〜図１３に示すように、リム導水路２４には、入口部２４ａにガイド部５６が設けられる。ガイド部５６は、リム導水路２４内において入口部２４ａと上部空間とを区画するガイド面を形成している。ガイド部５６は、リムノズル４０の吐水方向の延長線上に形成されている。ガイド部５６は、リムノズル４０の吐水方向に対し、斜め上方に傾斜された斜面を形成している。ガイド部５６は、リムノズル４０から吐水される洗浄水が衝突するように設けられ、ガイド部５６は、衝突した洗浄水をリム導水路２４内の上方の上部空間に導くようになっている。
【００４６】
つぎに、図１４〜図１６を参照して、本発明の一実施形態による水洗大便器１のリムノズル４０の詳細について説明する。
図１４は本発明の一実施形態による水洗大便器のリムノズルの中央断面図であり、図１５は本発明の一実施形態による水洗大便器のリムノズルの概略斜視図であり、図１６は本発明の一実施形態による水洗大便器のリムノズルを先端部側から見た正面図である。
図３及び図４に示すように、本実施形態のノズルであるリムノズル４０は、導水管２８の下流端に設けられる。リムノズル４０は、リム導水路２４の入口部２４ａに取付けられる。リムノズル４０は、導水管２８から供給される洗浄水をリム導水路２４内に吐水して供給する。
【００４７】
図１４〜図１６に示すように、リムノズル４０は、ノズル本体４１と、接続部４２、ノズル本体４１の内側に突出するリブ４４とを備える。ノズル本体４１は、たとえば円筒形状に形成される。ノズル本体４１は、リムノズル４０における洗浄水の通水路を形成する。接続部４２は、導水管２８に接続されることでリムノズル４０を導水管２８に接続する。
【００４８】
ノズル本体４１の先端部４１ａは、リム導水路２４の入口部２４ａに取付けられた状態で、リム導水路２４内にわずかに突出するように配置される。
【００４９】
リム導水路２４内に供給される洗浄水を乱す撹拌手段であるリブ４４は、ノズル本体４１内の通水路に突出するように形成される。リブ４４は、撹拌機能部を形成している。リブ４４は、ノズル本体４１の先端部４１ａから中間部４１ｂまで延びるように設けられる。リブ４４は、先端部４１ａ又は中間部４１ｂのみに設けられていてもよい。撹拌手段であるリブ４４は、回転手段としても機能し、洗浄水の流れ方向を軸とした回転力を洗浄水の流れに加える。リブ４４は、リム導水路２４の入口部２４ａに設けられる。
【００５０】
リブ４４は、薄板状の羽根を形成し、ノズル本体４１の内周面に沿って螺旋状に配置される。リブ４４は、中心軸線Ｃ４１を中心として軸周りに回転するような向きに配置される。リブ４４は、洗浄水の流れに中心軸線Ｃ４１を中心とした右旋回の回転力を付与する。リブ４４は、ノズル本体４１内に３個（３列）配置されるが、１個、２個又は４個以上配置されてもよい。よって、洗浄水は、ノズル本体４１から回転するように吐水され、リム導水路２４内の洗浄水を乱し、リム導水路２４内の上部に溜まっている空気を乱れた洗浄水により撹拌する。
【００５１】
つぎに、図２、図３、図１１〜図１３を参照して、本発明の一実施形態による水洗大便器の動作（作用）について説明する。
使用者が、便器使用後に、例えば、大洗浄用の操作ボタン（図示せず）を押すと、この操作ボタン（図示せず）からの信号がコントローラ１３に送信され、水洗大便器１の大洗浄用の洗浄動作が開始される。使用者が操作ボタン（図示せず）を操作すると、コントローラ１３は洗浄水を水道等の給水源から導水管２８を介してリムノズル４０に供給する。洗浄水は、リムノズル４０のノズル本体４１内において、リブ４４により中心軸線Ｃ４１を中心とした回転力を付与される。洗浄水は、矢印Ｗ０に示すように（図１２及び図１５参照）、リムノズル４０から回転しながらリム導水路２４内に吐水される。このように、リブ４４によりリム導水路２４内に供給される洗浄水が乱され、リム導水路２４内に拡散され、リム導水路２４内の上部に溜まっている空気を乱れた洗浄水により撹拌することができる。洗浄水は、入口部２４ａ及び段部６０上の上部空間においても回転するような乱れた状態の流れを形成する。洗浄水がリム導水路２４内の上部を流れることにより、リム導水路２４内の空気が微細化されて洗浄水に混入され、空気が塊になることを抑制しながら洗浄水とともにリム吐水口２６から吐水することができる。よって、洗浄水がリム導水路内の上部に溜まっている空気とともにリム吐水口２６から吐水される際、空気の炸裂音や空気の混じり音などの異音が発生することをより抑制することができ、静音性をより向上させることができる。
【００５２】
図１１〜図１３に示すように、リムノズル４０からリム導水路２４内に吐水された洗浄水は、ガイド部５６に衝突し、矢印Ｗ１に示すように、リム導水路２４内の上部空間に向けて上昇される。洗浄水は、ガイド部５６により、リム導水路２４内の中心線Ｃ２よりも上側よりも上方の上部空間、好ましくは段部６０上の上部空間に流れ込みやすくなっている。リム導水路２４内の上部に溜まっている空気が乱れた洗浄水により撹拌される。
【００５３】
リム導水路２４内の上部空間に流れ込んだ洗浄水は、矢印Ｗ２に示すように、リム導水路２４の上部に溜まっている空気を撹拌しながら段部６０上を下流側に流れていく途中で、徐々に左右幅が狭くなるリム導水路２４の上部空間から順次下降する下降流となってリム導水路２４の下側壁部５１に落ちるように流れ込む。
【００５４】
洗浄水は、リム導水路２４の上流部２４ｅ（図４参照）において、下半部の断面積Ａ１が上半部の断面積Ａ２よりも小さいため、矢印Ｗ３に示すように、リム導水路２４の上部空間の段部６０上を流れやすくなっている。よって、リム導水路２４内の上部に溜まっている空気を乱れた洗浄水によりより撹拌しやすくすることができる。
また、リム導水路２４の上流部２４ｅにおいて、リム導水路２４が上下方向における断面形状が縦向きの長孔Ｌ２と横向きの長孔Ｌ１とを組み合わせた形状に形成されているので、洗浄水は、矢印Ｗ３に示すように、リム導水路２４の上部空間の段部６０上を流れやすくなっている。
【００５５】
洗浄水は、前方側領域Ｆ１における外側部２４ｂの下流端に向かうにつれ、縦向きの長孔内に流下する。洗浄水が屈曲部２４ｃに到達する前に、リム導水路２４内の上部に溜まっている空気が、洗浄水中に撹拌されているので、屈曲部２４ｃにおいて空気の塊が分離されにくく、空気による異音の発生を抑制することができる。
【００５６】
洗浄水は、屈曲部２４ｃにおいて後方側に向きを変え、内側部２４ｄを通ってリム吐水口２６から後方に向けて吐出される。リム吐水口２６が、意匠性や洗浄水の旋回性の向上のためにボウル部２０の前方側領域Ｆ１に配置されていたとしても、空気が洗浄水中に攪拌され、空気による異音を抑制することができ、静音性を向上させることができる。リム吐水口２６から吐水された洗浄水は、ボウル部２０内を旋回しながら下方へ流下する旋回流を形成し、ボウル部２０の内壁面が洗浄される。
【００５７】
その後、ゼット吐水が開始される。先ず、コントローラ１３は、加圧ポンプ３６に信号を送ってこれを起動させる。貯水タンク３４内に貯水されていた洗浄水は、加圧ポンプ３６によって加圧され、ボウル部２０の下部に開口したゼット吐水部３２から吐出される。ゼット吐水部３２から吐出された洗浄水が排水トラップ管路２２内に流入し、排水トラップ管路２２を満水にしてするとサイホン現象が引き起こされる。このサイホン現象により、ボウル部２０内の溜水及び汚物は、排水トラップ管路２２に吸引され、下流側の排水管（図示せず）から排出される。便器本体２に洗浄水が供給されてから所定時間経過後、コントローラ１３は、リム吐水口２６からの吐水を終了させ、加圧ポンプ３６の作動を停止させ、一連の洗浄動作が終了する。
【００５８】
つぎに、図１７を参照して、本発明の一実施形態による水洗大便器１のリムノズル４０の第１変形例について説明する。
図１７は本発明の一実施形態による水洗大便器のリムノズルの第１変形例を示す斜視図である。
ここで、図１７に示す本発明の一実施形態による水洗大便器１のリムノズル１４０において、図１４に示す本発明の一実施形態による水洗大便器１のリムノズル４０と同一部分については同一の符号を付し、これらの説明については省略する。
【００５９】
リムノズル１４０は、導水管２８の下流端に設けられ、リム導水路２４の入口部２４ａに取付けられる。リムノズル１４０は、ノズル本体１４１と、接続部４２、ノズル本体１４１の内周面から外方側に凹む溝部１４４とを備える。ノズル本体１４１は、たとえば円筒形状に形成される。ノズル本体１４１は、リムノズル１４０における洗浄水の通水路を形成する。
【００６０】
ノズル本体１４１の先端部１４１ａは、リム導水路２４の入口部２４ａに取付けられた状態で、リム導水路２４内にわずかに突出するように配置される。
【００６１】
リム導水路２４内に供給される洗浄水を乱す撹拌手段である溝部１４４は、ノズル本体１４１内の内周面に沿って形成される。溝部１４４は、撹拌機能部を形成している。溝部１４４は、ノズル本体１４１の先端部１４１ａから中間部１４１ｂまで延びるように設けられる。溝部１４４は、先端部１４１ａ又は中間部１４１ｂのみに設けられていてもよい。撹拌手段である溝部１４４は、回転手段としても機能し、例えば中心軸線Ｃ４１の延びる方向である洗浄水の流れ方向を軸とした回転力を洗浄水の流れに加える。溝部１４４は、リム導水路２４の入口部２４ａに設けられる。
【００６２】
溝部１４４は、長手方向に延びる溝部を形成し、ノズル本体１４１の内周面に沿って螺旋状に配置される。溝部１４４は、その各々についてノズル本体１４１の内周の６分の１程度の幅の窪みを形成する。溝部１４４は、中心軸線Ｃ４１を中心として軸周りに回転するような向きに配置される。溝部１４４は、洗浄水の流れに中心軸線Ｃ４１を中心とした左旋回の回転力を付与する。溝部１４４は、ノズル本体１４１内の内周に３個（３列）配置されるが、１個、２個又は４個以上配置されてもよい。よって、洗浄水は、ノズル本体１４１から回転するように吐水され、リム導水路２４内の洗浄水を乱し、リム導水路２４内の上部に溜まっている空気を乱れた洗浄水により撹拌する。よって、洗浄水がリム吐水口２６から吐水される際に、リム導水路２４内の上部に溜まっている空気により、異音が発生することをより抑制することができ、静音性をより向上させることができる。
【００６３】
つぎに、図１８を参照して、本発明の一実施形態による水洗大便器１のリムノズル４０の第２変形例について説明する。
図１８は本発明の一実施形態による水洗大便器のリムノズルの第２変形例を示す斜視図である。図１８においては、ノズル本体２４１内の流路の外形を概略的に点線により示している。
ここで、図１８に示す本発明の一実施形態による水洗大便器１のリムノズル２４０において、図１４に示す本発明の一実施形態による水洗大便器１のリムノズル４０と同一部分については同一の符号を付し、これらの説明については省略する。
【００６４】
リムノズル２４０は、導水管２８の下流端に設けられる。リムノズル２４０は、リム導水路２４の入口部２４ａに取付けられる。リムノズル２４０は、導水管２８から供給される洗浄水をリム導水路２４内に吐水して供給する。
【００６５】
リムノズル２４０は、ノズル本体２４１と、接続部４２、ノズル本体２４１の内側に形成された変化流路２４４とを備える。ノズル本体２４１は、たとえば円筒形状に形成される。ノズル本体２４１は、リムノズル２４０における洗浄水の通水路を形成する。
【００６６】
ノズル本体２４１の先端部２４１ａは、リム導水路２４の入口部２４ａに取付けられた状態で、リム導水路２４内にわずかに突出するように配置される。
【００６７】
リム導水路２４内に供給される洗浄水を乱す撹拌手段である変化流路２４４は、ノズル本体２４１内の通水路の向きを変化させる。変化流路２４４は、撹拌機能部を形成している。変化流路２４４は、ノズル本体２４１の中間部２４１ｂにおいては、断面視で左右方向に長径且つ上下方向に短径を有する楕円の外形の流路Ｂ１を形成している。さらに、変化流路２４４は、ノズル本体２４１の先端部２４１ａにおいては、断面視で左右方向に短径且つ上下方向に長径を有する楕円の外形の流路Ｂ２を形成している。また、変化流路２４４は、ノズル本体２４１の中間部２４１ｂから先端部２４１ａにかけて、左右方向に長径を有する楕円形状の流路Ｂ１が徐々に回転され、楕円の角度が徐々に変化し、先端部２４１ａにおける上下方向に長径を有する楕円形状の流路Ｂ２となるように変化する。このように、ノズル本体２４１は、楕円形状の流路断面が、下流側に進むにつれ、中心軸線Ｃ４１を中心として軸周りに回転するように形成されている。
なお、変化流路２４４は、ノズル本体２４１の中間部２４１ｂから先端部２４１ａにかけて、左右方向に長径を有する楕円形状の流路Ｂ１が徐々に変形し、長径と短径との比を徐々に変えて、長径と短径とを入れ替えるようにして、先端部２４１ａにおける上下方向に長径を有する楕円形状の流路Ｂ２となるように形成されてもよい。
【００６８】
変化流路２４４は、ノズル本体２４１の先端部２４１ａから中間部２４１ｂまで延びるように設けられる。変化流路２４４は、先端部２４１ａ又は中間部２４１ｂのみに設けられていてもよい。撹拌手段である変化流路２４４は、回転手段としても機能し、洗浄水の流れ方向を軸とした回転力を洗浄水の流れに加える。変化流路２４４は、リム導水路２４の入口部２４ａに設けられる。
【００６９】
変化流路２４４は、楕円形状の断面の導水路が下流側に向けて徐々に楕円形状が回転するような流路を形成している。変化流路２４４は、中心軸線Ｃ４１を中心として軸周りに回転するような流路を形成する。変化流路２４４は、洗浄水の流れに中心軸線Ｃ４１を中心とした右旋回の回転力を付与する。よって、洗浄水は、ノズル本体２４１から回転するように吐水され、リム導水路２４内の洗浄水を乱し、リム導水路２４内の上部に溜まっている空気を乱れた洗浄水により撹拌する。よって、洗浄水がリム吐水口２６から吐水される際に、リム導水路２４内の上部に溜まっている空気により、異音が発生することをより抑制することができ、静音性をより向上させることができる。
【００７０】
つぎに、上述した本発明の一実施形態による水洗大便器１における作用について説明する。
まず、本発明の一実施形態による水洗大便器１によれば、撹拌手段（リブ４４、溝部１４４又は変化流路２４４）によりリム導水路２４内に供給される洗浄水が乱され、リム導水路２４内の上部に溜まっている空気を乱れた洗浄水により撹拌することができる。これにより、リム導水路２４内の空気が微細化され、洗浄水とともにリム吐水口２６から吐水される。よって、洗浄水がリム導水路２４内の上部に溜まっている空気とともにリム吐水口２６から吐水される際、異音を発生することを抑制することができ、静音性を向上させることができる。
【００７１】
つぎに、本発明の一実施形態による水洗大便器１によれば、回転手段（リブ４４、溝部１４４又は変化流路２４４）によりリム導水路２４内に供給される洗浄水の流れ方向を軸とした回転力を洗浄水の流れに加える。よって、洗浄水の流れが乱され、リム導水路２４内の上部に溜まっている空気を乱れた洗浄水により撹拌することができる。
【００７２】
また、本発明の一実施形態による水洗大便器１によれば、前記撹拌手段は、リム導水路２４の入口部２４ａに設けられるので、リム導水路２４内に供給される洗浄水がリム導水路２４の入口部２４ａから乱され、リム導水路２４内の上部に溜まっている空気を乱れた洗浄水により効率よく撹拌することができる。
【００７３】
さらに、本発明の一実施形態による水洗大便器１によれば、リム吐水口２６の開口高さよりも高い高さの導水路を有するような、リム導水路２４内の上部に溜まっている空気による異音が生じやすいリム導水路２４において、前記撹拌手段によりリム導水路２４内に供給される洗浄水が乱される。これにより、リム導水路２４内の上部に溜まっている空気を乱れた洗浄水により撹拌することができる。
【００７４】
さらに、本発明の一実施形態による水洗大便器１によれば、ボウル部２０の後方側領域Ｒ１から前方側領域Ｆ１に形成されたリム吐水口２６まで延びるような、リム導水路２４内の上部に溜まっている空気による異音が生じやすいリム導水路２４において、前記撹拌手段によりリム導水路２４内に供給される洗浄水が乱される。これにより、リム導水路２４内の上部に溜まっている空気を乱れた洗浄水により撹拌することができる。
【００７５】
さらに、本発明の一実施形態による水洗大便器１によれば、リムノズル４０の先端部においてリムノズル４０の通水路に突出するリブ４４によりリム導水路２４内に供給される洗浄水が乱され、リム導水路２４内の上部に溜まっている空気を乱れた洗浄水により撹拌することができる。
【００７６】
さらに、本発明の一実施形態による水洗大便器１によれば、リム導水路２４は、リム部１８の内部において前方に向けて延びる外側部２４ｂから屈曲部２４ｃを介して後方に向けて延びる内側部２４ｄを備え、後方に向けて洗浄水を吐水するリム吐水口２６まで延びる。よって、リム導水路２４がボウル部２０の前端のリム部内を経由して延びる場合に比べてリム導水路２４の容積を小さくすることができる。このため、リム導水路２４内の上部に溜まる空気の量を減らすことができ、空気による異音をさらに抑制することができる。
【００７７】
さらに、本発明の一実施形態による水洗大便器１によれば、リム導水路２４内に供給される洗浄水がリム導水路２４内における上部に流れ込みやすくなり、リム導水路２４内の上部に溜まっている空気を乱れた洗浄水によりより撹拌しやすくすることができる。これにより、リム導水路２４内の空気が微細化され、洗浄水とともにリム吐水口２６から吐水される。よって、洗浄水がリム導水路２４内の上部に溜まっている空気とともにリム吐水口２６から吐水される際、異音が発生することをより抑制することができ、静音性をより向上させることができる。
【００７８】
さらに、本発明の一実施形態による水洗大便器１によれば、ガイド部５６によりリム導水路２４内に供給される洗浄水をリム導水路２４内における上部に流れ込みやすくすることができ、リム導水路２４内の上部に溜まっている空気を乱れた洗浄水によりより撹拌しやすくすることができる。よって、洗浄水がリム導水路２４内の上部に溜まっている空気とともにリム吐水口２６から吐水される際、異音が発生することをより抑制することができ、静音性をより向上させることができる。
【００７９】
さらに、本発明の一実施形態による水洗大便器１によれば、縦向きの長孔がリム導水路２４の上半部に延びるため、リム導水路２４の下半部の断面積Ａ１が上半部の断面積Ａ２よりも小さくなるようなリム導水路２４を容易に形成することができる。よって、リム導水路２４内に供給される洗浄水をリム導水路２４内における上部に流れ込みやすくすることができ、リム導水路２４内の上部に溜まっている空気を乱れた洗浄水によりより撹拌しやすくすることができる。
【符号の説明】
【００８０】
１            水洗大便器
２            便器本体
４            便座
６            便蓋
８            機能部
１０          衛生洗浄系機能部
１２          給水系機能部
１３          コントローラ
１４          汚物受け面
１６          棚面
１８          リム部
２０          ボウル部
２２          排水トラップ管路
２２ａ        入口部
２４          リム導水路
２４ａ        入口部
２４ｂ        外側部
２４ｃ        屈曲部
２４ｄ        内側部
２４ｅ        上流部
２６          リム吐水口
２６ａ        上端
２８          導水管
３２          ゼット吐水部
３４          貯水タンク
３６          加圧ポンプ
４０          リムノズル
４１          ノズル本体
４１ａ        先端部
４１ｂ        中間部
４２          接続部
４４          リブ
５０          外側壁部
５０ａ        壁面
５１          下側壁部
５１ａ        壁面
５１ｂ        壁面
５２          内側壁部
５２ａ        壁面
５２ｂ        壁面
５３          上側壁部
５３ａ        壁面
５４          リム内周壁部
５４ａ        壁面
５５          上側壁部
５５ａ        壁面
５６          ガイド部
６０          段部
１４０        リムノズル
１４１        ノズル本体
１４１ａ      先端部
１４１ｂ      中間部
１４４        溝部
２４０        リムノズル
２４１        ノズル本体
２４１ａ      先端部
２４１ｂ      中間部
２４４        変化流路
Ａ１          断面積
Ａ２          断面積
Ｂ１          流路
Ｂ２          流路
Ｃ１          中心線
Ｃ２          中心線
Ｃ４１        中心軸線
Ｆ１          前方側領域
Ｌ１          長孔
Ｌ２          長孔
Ｌ３          長孔
Ｌ４          長孔
Ｒ１          後方側領域
Ｗ０          矢印
Ｗ１          矢印
Ｗ２          矢印
Ｗ３          矢印
【図１】
2019049118.tif 000003
【図２】
2019049118.tif 000004
【図３】
2019049118.tif 000005
【図４】
2019049118.tif 000006
【図５】
2019049118.tif 000007
【図６】
2019049118.tif 000008
【図７】
2019049118.tif 000009
【図８】
2019049118.tif 000010
【図９】
2019049118.tif 000011
【図１０】
2019049118.tif 000012
【図１１】
2019049118.tif 000013
【図１２】
2019049118.tif 000014
【図１３】
2019049118.tif 000015
【図１４】
2019049118.tif 000016
【図１５】
2019049118.tif 000017
【図１６】
2019049118.tif 000018
【図１７】
2019049118.tif 000019
【図１８】
2019049118.tif 000020